(57)【要約】【課題】広く一般市民が公園などに設置された自動体外式除細動器１１０を使用する環境が整った際に、自動体外式除細動器１１０が適切に使用されるように支援すること。【解決手段】取出検知部１７１が自動体外式除細動器収納箱１００から自動体外式除細動器１１０が取り出されたことを検知して管理センター３００や周囲に緊急通報を行うとともに必要な情報を提供し、バッテリー交換検知部１７５が自動体外式除細動器１１０のバッテリー切れを検知して管理センター３００に通知してバッテリーの交換を指示する。【選択図】        図１
2006043270.tif 000002
【特許請求の範囲】
【請求項１】
自動体外式除細動器を収納する自動体外式除細動器収納装置であって、
収納した自動体外式除細動器が取り出されたことを検知する取出検知手段と、
前記取出検知手段により自動体外式除細動器が取り出されたことが検知された場合に、自動体外式除細動器の対象となる患者の存在を音声で周囲に通知する音声通知手段と、
を備えたことを特徴とする自動体外式除細動器収納装置。
【請求項２】
自動体外式除細動器を収納する自動体外式除細動器収納装置であって、
収納した自動体外式除細動器が取り出されたことを検知する取出検知手段と、
前記取出検知手段により自動体外式除細動器が取り出されたことが検知された場合に、自動体外式除細動器が取り出されたことを自動体外式除細動器を管理する管理センターに通報する通報手段と、
を備えたことを特徴とする自動体外式除細動器収納装置。
【請求項３】
自動体外式除細動器を収納する自動体外式除細動器収納装置であって、
収納した自動体外式除細動器が取り出されたことを検知する取出検知手段と、
前記取出検知手段により自動体外式除細動器が取り出されたことが検知された場合に、自動体外式除細動器の取扱い方法を表示する表示手段と、
を備えたことを特徴とする自動体外式除細動器収納装置。
【請求項４】
自動体外式除細動器を収納する自動体外式除細動器収納装置であって、
収納した自動体外式除細動器が取り出されたことを検知する取出検知手段と、
前記取出検知手段により自動体外式除細動器が取り出されたことが検知された場合に、自動体外式除細動器を取り出した取出者の映像を記録する映像記録手段と、
を備えたことを特徴とする自動体外式除細動器収納装置。
【請求項５】
自動体外式除細動器を収納する自動体外式除細動器収納装置であって、
自動体外式除細動器のバッテリーの交換が必要であるか否かを判定するバッテリー交換判定手段と、
前記バッテリー交換判定手段によりバッテリーの交換が必要であると判定された場合に、バッテリーの交換が必要であることを自動体外式除細動器を管理する管理センターに通報する通報手段と、
を備えたことを特徴とする自動体外式除細動器収納装置。
【請求項６】
前記バッテリー交換判定手段は、自動体外式除細動器に取り付けられたバッテリーランプの色またはバッテリーの電圧チェックの識別信号を検出することによってバッテリーの交換が必要であるか否かを判定することを特徴とする請求項５に記載の自動体外式除細動器収納装置。
【請求項７】
自動体外式除細動器を収納する自動体外式除細動器収納装置であって、
ネットワークを介して接続されたサーバから自動体外式除細動器に関する情報を受信する受信手段と、
前記受信手段により受信された自動体外式除細動器に関する情報を表示する表示手段と、
を備えたことを特徴とする自動体外式除細動器収納装置。
【請求項８】
収納した自動体外式除細動器が取り出されたことを検知する取出検知手段と、
前記取出検知手段により自動体外式除細動器が取り出されたことが検知された場合に、自動体外式除細動器の取扱い方法に関する情報を送信するように前記サーバに指示する送信指示手段と、をさらに備え、
前記表示手段は、前記取出検知手段により自動体外式除細動器が取り出されたことが検知された場合に、自動体外式除細動器の取扱い方法に関する情報を表示することを特徴とする請求項７に記載の自動体外式除細動器収納装置。
【請求項９】
自動体外式除細動器を収納する自動体外式除細動器収納装置による自動体外式除細動器利用支援方法であって、
収納した自動体外式除細動器が取り出されたことを検知する取出検知工程と、
前記取出検知工程により自動体外式除細動器が取り出されたことが検知された場合に、自動体外式除細動器の対象となる患者の存在を周囲に音声で通知する音声通知工程と、
を含んだことを特徴とする自動体外式除細動器利用支援方法。
【請求項１０】
自動体外式除細動器を収納する自動体外式除細動器収納装置による自動体外式除細動器利用支援方法であって、
収納した自動体外式除細動器が取り出されたことを検知する取出検知工程と、
前記取出検知工程により自動体外式除細動器が取り出されたことが検知された場合に、自動体外式除細動器が取り出されたことを自動体外式除細動器を管理する管理センターに通報する通報工程と、
を含んだことを特徴とする自動体外式除細動器利用支援方法。
【請求項１１】
自動体外式除細動器を収納する自動体外式除細動器収納装置による自動体外式除細動器利用支援方法であって、
収納した自動体外式除細動器が取り出されたことを検知する取出検知工程と、
前記取出検知工程により自動体外式除細動器が取り出されたことが検知された場合に、自動体外式除細動器の取扱い方法を表示する表示工程と、
を含んだことを特徴とする自動体外式除細動器利用支援方法。
【請求項１２】
自動体外式除細動器を収納する自動体外式除細動器収納装置による自動体外式除細動器利用支援方法であって、
収納した自動体外式除細動器が取り出されたことを検知する取出検知工程と、
前記取出検知工程により自動体外式除細動器が取り出されたことが検知された場合に、自動体外式除細動器を取り出した取出者の映像を記録する映像記録工程と、
を含んだことを特徴とする自動体外式除細動器利用支援方法。
【請求項１３】
自動体外式除細動器を収納する自動体外式除細動器収納装置による自動体外式除細動器利用支援方法であって、
自動体外式除細動器のバッテリーの交換が必要であるか否かを判定するバッテリー交換判定工程と、
前記バッテリー交換判定工程によりバッテリーの交換が必要であると判定された場合に、バッテリーの交換が必要であることを自動体外式除細動器を管理する管理センターに通報する通報工程と、
を含んだことを特徴とする自動体外式除細動器利用支援方法。
【請求項１４】
前記バッテリー交換判定工程は、自動体外式除細動器に取り付けられたバッテリーランプの色またはバッテリーの電圧チェックの識別信号を検出することによってバッテリーの交換が必要であるか否かを判定することを特徴とする請求項１３に記載の自動体外式除細動器利用支援方法。
【請求項１５】
自動体外式除細動器を収納する自動体外式除細動器収納装置による自動体外式除細動器利用支援方法であって、
ネットワークを介して接続されたサーバから自動体外式除細動器に関する情報を受信する受信工程と、
前記受信工程により受信された自動体外式除細動器に関する情報を表示する表示工程と、
を含んだことを特徴とする自動体外式除細動器利用支援方法。
【請求項１６】
収納した自動体外式除細動器が取り出されたことを検知する取出検知工程と、
前記取出検知工程により自動体外式除細動器が取り出されたことが検知された場合に、自動体外式除細動器の取扱い方法に関する情報を送信するように前記サーバに指示する送信指示工程と、をさらに含み、
前記表示工程は、前記取出検知工程により自動体外式除細動器が取り出されたことが検知された場合に、自動体外式除細動器の取扱い方法に関する情報を表示することを特徴とする請求項１５に記載の自動体外式除細動器利用支援方法。
【発明の詳細な説明】
【技術分野】
【０００１】
本発明は、自動体外式除細動器を収納する自動体外式除細動器収納装置および自動体外式除細動器利用支援方法に関するものであり、特に、自動体外式除細動器の適切な利用を支援することができる自動体外式除細動器収納装置および自動体外式除細動器利用支援方法に関する。
【背景技術】
【０００２】
近年、我が国においても、心肺停止あるいは致死的不整脈の患者を救命するための心肺蘇生法の普及の必要性が強く叫ばれている。また、国際的に共通な心肺蘇生法として、米国心臓病協会（AHA)のガイドラインが利用されるようになってきている。
【０００３】
救命救急処置の対象として最も重要なものに、様々な心臓病により生じる心室頻拍や心室細動と呼ばれる致死性の不整脈がある。この不整脈に対しては、速やかに機器を用いて直流の電気を体内に流すことにより、正常の脈に戻し心臓の収縮を再開させること（電気的除細動）が必要となっている。
【０００４】
この処置はこれまで医療従事者が行ってきたが、発症より５分以内に行わなければ効果がなく、医療従事者のみが行うのでは成功率が非常に低いのが現状である。例えば、心臓の働きが不規則になり、不整脈の中でも致死性の高い不整脈である心室細動が起こると、約６秒で失神、約３分で脳死状態、数分間続くと死に至る可能性がある。この心室細動の場合、約１分以内に除細動を行うことで約９割が社会復帰でき、約３分以内では、約７割以上が社会復帰できる。
【０００５】
したがって、心肺停止あるいは、致死的不整脈の患者に対しては、迅速に電気的除細動を行うことが重要である。また、この電気的除細動を行うことの出来る救助者が多くいる事も重要になる（非特許文献１〜３参照。）。
【０００６】
【非特許文献１】第１回「非医療従事者による自動体外式除細動器（ＡＥＤ）の使用のあり方検討会」議事次第、［平成１６年７月１日検索］、インターネット＜URL:http://www.mhlw.go.jp/shingi/2003/11/s1118-4.html＞
【非特許文献２】YOMIURI ONLINE 医療と介護  医療ルネサンス、［平成１６年７月１日検索］、インターネット＜URL: http//www.yomiuri.co.jp/iryou/renai/20040417sr11.htm
【非特許文献３】AED（自動体外除細動器）体験セミナー、［平成１６年７月１日検索］、インターネット＜URL: http://www.jcue.net/jcuenow/report/0311aed/
【発明の開示】
【発明が解決しようとする課題】
【０００７】
米国では既に様々な場所に自動体外式除細動器が設置され、一般市民も電気的除細動を行うことが可能となっている。しかし、日本国内においては、医師法により自動体外式除細動器の利用が認められているのが医師と国際線をフライト中の航空機に従事する客室乗務員、救急救命士資格を持つ救急隊員のみに限定されているため、自動体外式除細動器が設置されている場所として、医療機関の施設内、一部の航空会社の国際線の飛行機内に設置されているのが現状となっている。
【０００８】
今後、日本国内において一般市民が自動体外式除細動器を利用可能な環境になった際には、公共施設、運動場、温泉等の多くの人が集まる場所、心肺に負荷のかかる場所に設置されることが予想される。
【０００９】
しかしながら、そのような環境を実現する場合に、単に自動体外式除細動器を設置するだけではなく、自動体外式除細動器の適切な利用が行われるような環境を整備して管理することが重要な課題となる。
【００１０】
例えば、心肺停止或いは致死的不整脈の患者が発生した際に、周囲の人や関係者に心肺停止或いは致死的不整脈の患者が発生したことを知らせ、協力を得ることが重要となる。また、緊急時に自動体外式除細動器が確実に使用できることが必要となる。
【００１１】
本発明は、上記に鑑みてなされたものであって、自動体外式除細動器の適切な利用を支援することができる自動体外式除細動器収納装置および自動体外式除細動器利用支援方法を提供することを目的とする。
【課題を解決するための手段】
【００１２】
上述した課題を解決し、目的を達成するために、本発明は、自動体外式除細動器を収納する自動体外式除細動器収納装置であって、収納した自動体外式除細動器が取り出されたことを検知する取出検知手段と、前記取出検知手段により自動体外式除細動器が取り出されたことが検知された場合に、自動体外式除細動器の対象となる患者の存在を音声で周囲に通知する音声通知手段と、を備えたことを特徴とする。
【００１３】
また、本発明は、自動体外式除細動器を収納する自動体外式除細動器収納装置による自動体外式除細動器利用支援方法であって、収納した自動体外式除細動器が取り出されたことを検知する取出検知工程と、前記取出検知工程により自動体外式除細動器が取り出されたことが検知された場合に、自動体外式除細動器の対象となる患者の存在を周囲に音声で通知する音声通知工程と、を含んだことを特徴とする。
【００１４】
かかる発明によれば、収納した自動体外式除細動器が取り出されたことを検知した場合に、自動体外式除細動器の対象となる患者の存在を音声で周囲に通知するよう構成したので、自動体外式除細動器の使用者は周囲の協力を得ることができる。
【００１５】
また、本発明は、自動体外式除細動器を収納する自動体外式除細動器収納装置であって、収納した自動体外式除細動器が取り出されたことを検知する取出検知手段と、前記取出検知手段により自動体外式除細動器が取り出されたことが検知された場合に、自動体外式除細動器が取り出されたことを自動体外式除細動器を管理する管理センターに通報する通報手段と、を備えたことを特徴とする。
【００１６】
また、本発明は、自動体外式除細動器を収納する自動体外式除細動器収納装置による自動体外式除細動器利用支援方法であって、収納した自動体外式除細動器が取り出されたことを検知する取出検知工程と、前記取出検知工程により自動体外式除細動器が取り出されたことが検知された場合に、自動体外式除細動器が取り出されたことを自動体外式除細動器を管理する管理センターに通報する通報工程と、を含んだことを特徴とする。
【００１７】
かかる発明によれば、収納した自動体外式除細動器が取り出されたことを検知した場合に、自動体外式除細動器が取り出されたことを自動体外式除細動器を管理する管理センターに通報するよう構成したので、管理センターは自動体外式除細動器の利用状況をリアルタイムで把握することができ、迅速な対応を行うことができる。
【００１８】
また、本発明は、自動体外式除細動器を収納する自動体外式除細動器収納装置であって、収納した自動体外式除細動器が取り出されたことを検知する取出検知手段と、前記取出検知手段により自動体外式除細動器が取り出されたことが検知された場合に、自動体外式除細動器の取扱い方法を表示する表示手段と、を備えたことを特徴とする。
【００１９】
また、本発明は、自動体外式除細動器を収納する自動体外式除細動器収納装置による自動体外式除細動器利用支援方法であって、収納した自動体外式除細動器が取り出されたことを検知する取出検知工程と、前記取出検知工程により自動体外式除細動器が取り出されたことが検知された場合に、自動体外式除細動器の取扱い方法を表示する表示工程と、を含んだことを特徴とする。
【００２０】
かかる発明によれば、収納した自動体外式除細動器が取り出されたことを検知した場合に、自動体外式除細動器の取扱い方法を表示するよう構成したので、一般の人も正しく自動体外式除細動器を使用することができる。
【００２１】
また、本発明は、自動体外式除細動器を収納する自動体外式除細動器収納装置であって、収納した自動体外式除細動器が取り出されたことを検知する取出検知手段と、前記取出検知手段により自動体外式除細動器が取り出されたことが検知された場合に、自動体外式除細動器を取り出した取出者の映像を記録する映像記録手段と、を備えたことを特徴とする。
【００２２】
また、本発明は、自動体外式除細動器を収納する自動体外式除細動器収納装置による自動体外式除細動器利用支援方法であって、収納した自動体外式除細動器が取り出されたことを検知する取出検知工程と、前記取出検知工程により自動体外式除細動器が取り出されたことが検知された場合に、自動体外式除細動器を取り出した取出者の映像を記録する映像記録工程と、を含んだことを特徴とする。
【００２３】
かかる発明によれば、収納した自動体外式除細動器が取り出されたことを検知した場合に、自動体外式除細動器を取り出した取出者の映像を記録するよう構成したので、いたずらなどで自動体外式除細動器が救命救急処置以外に取り出されることを防ぐことができる。
【００２４】
また、本発明は、自動体外式除細動器を収納する自動体外式除細動器収納装置であって、自動体外式除細動器のバッテリーの交換が必要であるか否かを判定するバッテリー交換判定手段と、前記バッテリー交換判定手段によりバッテリーの交換が必要であると判定された場合に、バッテリーの交換が必要であることを自動体外式除細動器を管理する管理センターに通報する通報手段と、を備えたことを特徴とする。
【００２５】
また、本発明は、自動体外式除細動器を収納する自動体外式除細動器収納装置による自動体外式除細動器利用支援方法であって、自動体外式除細動器のバッテリーの交換が必要であるか否かを判定するバッテリー交換判定工程と、前記バッテリー交換判定工程によりバッテリーの交換が必要であると判定された場合に、バッテリーの交換が必要であることを自動体外式除細動器を管理する管理センターに通報する通報工程と、を含んだことを特徴とする。
【００２６】
かかる発明によれば、自動体外式除細動器のバッテリーの交換が必要であるか否かを判定し、バッテリーの交換が必要であると判定した場合に、バッテリーの交換が必要であることを自動体外式除細動器を管理する管理センターに通報するよう構成したので、管理センターによる自動体外式除細動器の管理負担を低減することができる。
【００２７】
また、本発明は、上記発明において、前記バッテリー交換判定手段は、自動体外式除細動器に取り付けられたバッテリーランプの色またはバッテリーの電圧チェックの識別信号を検出することによってバッテリーの交換が必要であるか否かを判定することを特徴とする。
【００２８】
また、本発明は、上記発明において、前記バッテリー交換判定工程は、自動体外式除細動器に取り付けられたバッテリーランプの色またはバッテリーの電圧チェックの識別信号を検出することによってバッテリーの交換が必要であるか否かを判定することを特徴とする。
【００２９】
かかる発明によれば、自動体外式除細動器に取り付けられたバッテリーランプの色またはバッテリーの電圧チェックの識別信号を検出することによってバッテリーの交換が必要であるか否かを判定するよう構成したので、確実にバッテリー切れを検出することができる。
【００３０】
また、本発明は、自動体外式除細動器を収納する自動体外式除細動器収納装置であって、ネットワークを介して接続されたサーバから自動体外式除細動器に関する情報を受信する受信手段と、前記受信手段により受信された自動体外式除細動器に関する情報を表示する表示手段と、を備えたことを特徴とする。
【００３１】
また、本発明は、自動体外式除細動器を収納する自動体外式除細動器収納装置による自動体外式除細動器利用支援方法であって、ネットワークを介して接続されたサーバから自動体外式除細動器に関する情報を受信する受信工程と、前記受信工程により受信された自動体外式除細動器に関する情報を表示する表示工程と、を含んだことを特徴とする。
【００３２】
かかる発明によれば、ネットワークを介して接続されたサーバから自動体外式除細動器に関する情報を受信し、受信した自動体外式除細動器に関する情報を表示するよう構成したので、自動体外式除細動器に関する情報を広く提供することができる。
【００３３】
また、本発明は、上記発明において、収納した自動体外式除細動器が取り出されたことを検知する取出検知手段と、前記取出検知手段により自動体外式除細動器が取り出されたことが検知された場合に、自動体外式除細動器の取扱い方法に関する情報を送信するように前記サーバに指示する送信指示手段と、をさらに備え、前記表示手段は、前記取出検知手段により自動体外式除細動器が取り出されたことが検知された場合に、自動体外式除細動器の取扱い方法に関する情報を表示することを特徴とする。
【００３４】
また、本発明は、上記発明において、収納した自動体外式除細動器が取り出されたことを検知する取出検知工程と、前記取出検知工程により自動体外式除細動器が取り出されたことが検知された場合に、自動体外式除細動器の取扱い方法に関する情報を送信するように前記サーバに指示する送信指示工程と、をさらに含み、前記表示工程は、前記取出検知工程により自動体外式除細動器が取り出されたことが検知された場合に、自動体外式除細動器の取扱い方法に関する情報を表示することを特徴とする。
【００３５】
かかる発明によれば、収納した自動体外式除細動器が取り出されたことを検知した場合に、自動体外式除細動器の取扱い方法に関する情報を送信するようにサーバに指示し、自動体外式除細動器の取扱い方法に関する情報を表示するよう構成したので、一般の人も正しく自動体外式除細動器を使用することができる。
【発明の効果】
【００３６】
本発明によれば、自動体外式除細動器の使用者は周囲の協力を得ることができるので、自動体外式除細動器を適切に使用することができるという効果を奏する。
【００３７】
また、本発明によれば、管理センターは自動体外式除細動器の利用状況をリアルタイムで把握することができ、迅速な対応を行うことができるので、自動体外式除細動器を効率良く管理することができるという効果を奏する。
【００３８】
また、本発明によれば、一般の人も正しく自動体外式除細動器を使用することができるので、自動体外式除細動器を有効に利用することができるという効果を奏する。
【００３９】
また、本発明によれば、いたずらなどで自動体外式除細動器が救命救急処置以外に取り出されることを防ぐことができるので、自動体外式除細動器を有効に利用することができるという効果を奏する。
【００４０】
また、本発明によれば、管理センターによる自動体外式除細動器の管理負担を低減することができるので、自動体外式除細動器を効率良く管理することができるという効果を奏する。
【００４１】
本発明によれば、自動体外式除細動器に関する情報を広く提供することができるので、自動体外式除細動器に関する理解を得ることができるという効果を奏する。
【発明を実施するための最良の形態】
【００４２】
以下に、本発明にかかる自動体外式除細動器収納装置および自動体外式除細動器利用支援方法の好適な実施例を添付図面に基づいて詳細に説明する。なお、この実施例によりこの発明が限定されるものではない。
【実施例】
【００４３】
まず、本実施例に係る自動体外式除細動器収納箱の構成について説明する。図１は、本実施例に係る自動体外式除細動器収納箱の構成を示す機能ブロック図である。同図に示すように、この自動体外式除細動器収納箱１００は、様々な場所に設置された自動体外式除細動器を管理する管理センター３００とインターネット４００を介して接続され、自動体外式除細動器１１０と、重圧センサ１２０と、色センサ１３０と、スピーカ１４０と、表示装置１５０と、通信装置１６０と、制御部１７０とを有する。
【００４４】
自動体外式除細動器１１０は、心肺停止あるいは、致死的不整脈の患者の体内に直流の電気を流すことによって正常の脈に戻し、心臓の収縮を再開させる装置であり、自動体外式除細動器収納箱１００から救助者によって取り出されて使用される。
【００４５】
重圧センサ１２０は、自動体外式除細動器１１０が自動体外式除細動器収納箱１００から取り出されたことを検出するセンサであり、自動体外式除細動器１１０の重さを利用して検出を行う。すなわち、自動体外式除細動器１１０が取り出された場合の重量の変化を検出する。
【００４６】
色センサ１３０は、色を識別するセンサであり、自動体外式除細動器１１０に設けられたバッテリーランプの色を検出する。このバッテリーランプは、自動体外式除細動器１１０のバッテリーの交換が必要になると色が変化するので、この色の変化を検出することによってバッテリーの交換が必要であるか否かを判定することが出来る。
【００４７】
スピーカ１４０は、電気信号を音に変換する装置であり、自動体外式除細動器１１０が自動体外式除細動器収納箱１００から取り出された際に、周囲の人に患者がいることを通知する音声の出力、あるいは、自動体外式除細動器１１０の使用方法の説明などの音声の出力に用いられる。
【００４８】
表示装置１５０は、文字や画像を表示する装置であり、自動体外式除細動器１１０の使用方法の説明などの表示に用いられる。通信装置１６０は、インターネット４００を介して管理センター３００と通信するための装置である。
【００４９】
制御部１７０は、自動体外式除細動器収納箱１００を制御する処理部であり、取出検知部１７１と、音声出力部１７２と、表示部１７３と、放送部１７４と、バッテリー交換検知部１７５と、監視部１７６と、通信部１７７とを有する。
【００５０】
取出検知部１７１は、自動体外式除細動器収納箱１００から自動体外式除細動器１１０が取り出されたことを重圧センサ１２０を用いて検知し、心肺停止あるいは致死的不整脈の患者がいることを音声を用いて自動体外式除細動器収納箱１００の周囲に知らせる処理部である。
【００５１】
図２は、心肺停止あるいは致死的不整脈の患者がいることを自動体外式除細動器収納箱１００の周囲に通知する音声メッセージの例を示す図である。同図に示すように、この取出検知部１７１は、「周囲に倒れている人がいます。自動体外式除細動器が使える人は救助に向かってください。」、「自動体外式除細動器が取り外されました。誰かが倒れている可能性があります。」などのメッセージを音声で出力する。このように、自動体外式除細動器収納箱１００の周囲に音声による通知を行うことによって、周囲の協力を得ることができる。
【００５２】
また、この取出検知部１７１は、自動体外式除細動器１１０が取り出されたことを検知すると、通信部１７７を用いて管理センター３００に自動体外式除細動器１１０が取り出されたことを緊急通報し、緊急通報したことを表示装置１５０に表示するとともに、放送部１７４に対して自動体外式除細動器１１０の取り扱い方法を放送するように指示する。
【００５３】
図３は、この取出検知部１７１が表示装置１５０に表示する緊急通報の画面例を示す図である。また、図４は、自動体外式除細動器１１０の取り扱い方法を表示する画面例を示す図である。
【００５４】
さらに、この取出検知部１７１は、自動体外式除細動器１１０が取り出されたことを検知すると、監視部１７６を用いてカメラ２００を作動させ、取り出し者の画像を管理センター３００に送信する。ここで、カメラ２００は、自動体外式除細動器収納箱１００から自動体外式除細動器１１０を取り出す取出者を映せる位置に設置されている。
【００５５】
このように、この取出検知部１７１が自動体外式除細動器１１０が取り出されたことを検知すると、管理センター３００や自動体外式除細動器収納箱１００の周囲の人に必要な情報を提供することによって、自動体外式除細動器１１０の利用状況を監視するとともに、自動体外式除細動器１１０の適切な利用を支援することができる。
【００５６】
音声出力部１７２は、スピーカ１４０を用いて音声を出力する処理部であり、出力する音声としては、取出検知部１７１が心肺停止あるいは致死的不整脈の患者がいることを自動体外式除細動器収納箱１００の周囲に通知するメッセージ、放送部１７４が放送する自動体外式除細動器１１０の取り扱い方法の音声などがある。
【００５７】
表示部１７３は、表示装置１５０を用いて画面表示を行う処理部であり、表示する画面としては、取出検知部１７１が自動体外式除細動器１１０が取り出されたことを緊急通知する画面、放送部１７４が放送する自動体外式除細動器１１０の取り扱い方法の画面などがある。
【００５８】
放送部１７４は、通信部１７７を介して管理センター３００から自動体外式除細動器１１０の取り扱い方法、自動体外式除細動器１１０の設置場所などの放送コンテンツを取得し、音声を音声出力部１７２を介してスピーカ１４０に出力するとともに、映像を表示部１７３を介して表示装置１５０に出力する処理部である。
【００５９】
この放送部１７４は、通常は、管理センター３００から放送コンテンツを取得して放送する処理を繰り返すが、取出検知部１７１が自動体外式除細動器１１０が取り出されたことを検知すると、自動体外式除細動器１１０の取り扱い方法を最初から放送する。
【００６０】
この放送部１７４が、自動体外式除細動器１１０が取り出された場合に、自動体外式除細動器１１０の取り扱い方法を最初から放送することによって、一般の人が自動体外式除細動器１１０を適切に使用することを支援することができる。
【００６１】
バッテリー交換検知部１７５は、色センサ１３０を用いて自動体外式除細動器１１０のバッテリーランプの色を定期的に入力し、バッテリーランプの色に基づいてバッテリーの交換が必要であるか否かを判定する処理部である。
【００６２】
図５は、自動体外式除細動器１１０に備え付けられたバッテリーランプ１１１を示す図である。同図に示すように、この自動体外式除細動器１１０では、操作部にバッテリーの残量を示すバッテリーランプ１１１が備え付けられ、このバッテリーランプ１１１の色によって自動体外式除細動器１１０のバッテリーの交換が必要であるか否かを示している。なお、自動体外式除細動器１１０は、定期的に自己診断を行うことによって、バッテリーの残量をチェックし、バッテリーランプ１１１に表示する。
【００６３】
図６は、バッテリー交換検知部１７５によるバッテリーの監視を説明するための説明図である。同図に示すように、色センサ１３０は、バッテリーランプ１１１の色を入力して色を識別する。そして、バッテリー交換検知部１７５が、バッテリーランプ１１１の色がバッテリー交換を示す色であるか否かを判定し、バッテリー交換を示す色である場合には、通信装置１６０を介して管理センター３００にバッテリーの交換を指示する。
【００６４】
このように、バッテリー交換検知部１７５が色センサ１３０を用いてバッテリーランプ１１１の色を定期的に入力してバッテリーの交換が必要であるか否かを判定し、バッテリーの交換が必要である場合には管理センター３００にバッテリーの交換を指示することによって、自動体外式除細動器１１０の管理負担を軽減し、自動体外式除細動器１１０が使用される緊急時にバッテリー切れによって自動体外式除細動器１１０が使用できない状態が発生することを防ぐことができる。なお、ここでは、バッテリーランプ１１１の色を識別してバッテリーの交換が必要であるか否かを判定したが、バッテリーの電圧チェックの結果を示す他の識別信号を用いることもできる。
【００６５】
監視部１７６は、取出検知部１７１が自動体外式除細動器１１０が取り出されたことを検知した場合に、自動体外式除細動器１１０を取り出した取出者の映像をカメラ２００を用いて撮影し、撮影した映像を管理センター３００に送信する処理部である。
【００６６】
この監視部１７６が自動体外式除細動器１１０を取り出した取出者の映像をカメラ２００を用いて撮影して管理センター３００に送ることによって、いたずらで自動体外式除細動器１１０が取り出される場合など、本来の目的以外に自動体外式除細動器収納箱１００から自動体外式除細動器１１０が取り出されることを防ぐことが出来る。
【００６７】
通信部１７７は、通信装置１６０を用いてインターネット４００経由で管理センター３００と通信するための処理部であり、自動体外式除細動器１１０の取り出しやバッテリー交換の指示などを送信し、放送コンテンツなどを受信する。
【００６８】
管理センター３００は、自動体外式除細動器１１０を監視するモニタ３１０と、放送コンテンツや自動体外式除細動器１１０の取出者の画像などを記憶する記憶装置３２０とを有する。図７は、管理センター３００のモニタ３１０に表示される自動体外式除細動器管理画面の例を示す図である。
【００６９】
同図に示すように、例えば「画面１」には、自動体外式除細動器１１０の自己診断によるバッテリーの状況が表示されている。この画面では、自動体外式除細動器１１０の一つ「ＡＥＤ０７」のバッテリーが切れていることを示している。
【００７０】
また、「画面４」には、自動体外式除細動器１１０の一つ「ＡＥＤ０３」が自動体外式除細動器収納箱１００から取り出された際に表示される画面を示し、「ＡＥＤ０３」の設置場所（○○公園）とともに取出者の映像が表示される。
【００７１】
次に、自動体外式除細動器１１０が自動体外式除細動器収納箱１００から取り出された場合の自動体外式除細動器収納箱１００の処理手順について説明する。図８は、自動体外式除細動器１１０が自動体外式除細動器収納箱１００から取り出された場合の自動体外式除細動器収納箱１００の処理手順を示すフローチャートである。
【００７２】
同図に示すように、この自動体外式除細動器収納箱１００は、取出検知部１７１が自動体外式除細動器１１０が取り出されたことを検知し（ステップＳ８０１）、監視部１７６に取出者の映像の管理センター３００への送信を開始するように指示する（ステップＳ８０２）。
【００７３】
また、表示装置１５０および管理センター３００に緊急通報を行うとともに（ステップＳ８０３）、周囲に対して音声メッセージを出力する（ステップＳ８０４）。さらに、放送部１７４に対して自動体外式除細動器１１０の使用方法を緊急放送するように指示する（ステップＳ８０５）。
【００７４】
このように、取出検知部１７１が自動体外式除細動器１１０が取り出されたことを検知し、管理センター３００や周囲に必要な情報を提供することによって、自動体外式除細動器１１０が適切に使用されることを支援することができる。
【００７５】
次に、自動体外式除細動器収納箱１００によるバッテリー監視処理の処理手順について説明する。図９は、自動体外式除細動器収納箱１００によるバッテリー監視処理の処理手順を示すフローチャートである。
【００７６】
同図に示すように、この自動体外式除細動器収納箱１００は、バッテリー交換検知部１７５が色センサ１３０から定期的にバッテリーランプ１１１の色を入力し（ステップＳ９０１）、バッテリーランプ１１１の色がバッテリー交換を示す色であるか否かを判定する（ステップＳ９０２）。
【００７７】
そして、バッテリーランプ１１１の色がバッテリー交換を示す色である場合には、管理センター３００に対して自動体外式除細動器１１０バッテリーの交換の指示を送信する（ステップＳ９０３）。
【００７８】
このように、バッテリー交換検知部１７５が自動体外式除細動器１１０のバッテリー切れを監視し、バッテリーが切れた場合に、管理センター３００に通知することによって、自動体外式除細動器１１０の管理負担を軽減するとともに、自動体外式除細動器１１０が使用される緊急時にバッテリー切れによって自動体外式除細動器１１０が使用できない状態が発生することを防ぐことができる。
【００７９】
上述してきたように、本実施例では、取出検知部１７１が自動体外式除細動器収納箱１００から自動体外式除細動器１１０が取り出されたことを検知して管理センター３００や周囲に緊急通報を行うとともに必要な情報を提供し、バッテリー交換検知部１７５が自動体外式除細動器１１０のバッテリー切れを検知して管理センター３００に通知することによって、自動体外式除細動器１１０の適切な使用を支援することができる。
【００８０】
なお、本実施例では、取出検知部１７１が自動体外式除細動器収納箱１００から自動体外式除細動器１１０が取り出されたことを検知すると、管理センター３００や周囲に緊急通報を行うとともに必要な情報を提供し、バッテリー交換検知部１７５が自動体外式除細動器１１０のバッテリー切れを検知すると、管理センター３００に通知する場合について説明したが、本発明はこれに限定されるものではなく、自動体外式除細動器収納箱１００が提供する機能の一部、例えば、自動体外式除細動器収納箱から自動体外式除細動器が取り出されたことを検知すると、音声で周囲に通知だけを行う場合にも同様に適用することができる。
【産業上の利用可能性】
【００８１】
以上のように、本発明にかかる自動体外式除細動器収納装置および自動体外式除細動器利用支援方法は、自動体外式除細動器を設置して管理する場合に有用であり、特に、駅、ホテルなどの公共施設、運動場、温泉、ゴルフ場、フィットネスクラブなどの運動施設などに自動体外式除細動器を設置する場合に適している。
【図面の簡単な説明】
【００８２】
【図１】本実施例に係る自動体外式除細動器収納箱の構成を示す機能ブロック図である。
【図２】心肺停止あるいは致死的不整脈の患者がいることを自動体外式除細動器収納箱の周囲に通知する音声メッセージの例を示す図である。
【図３】取出検知部が表示装置に表示する緊急通報の画面例を示す図である。
【図４】自動体外式除細動器の取り扱い方法を表示する画面例を示す図である。
【図５】自動体外式除細動器に備え付けられたバッテリーランプを示す図である。
【図６】バッテリー交換検知部によるバッテリーの監視を説明するための説明図である。
【図７】管理センターのモニタに表示される自動体外式除細動器管理画面の例を示す図である。
【図８】自動体外式除細動器が自動体外式除細動器収納箱から取り出された場合の自動体外式除細動器収納箱の処理手順を示すフローチャートである。
【図９】自動体外式除細動器収納箱によるバッテリー監視処理の処理手順を示すフローチャートである。
【符号の説明】
【００８３】
１００  自動体外式除細動器収納箱
１１０  自動体外式除細動器
１１１  バッテリーランプ
１２０  重圧センサ
１３０  色センサ
１４０  スピーカ
１５０  表示装置
１６０  通信装置
１７０  制御部
１７１  取出検知部
１７２  音声出力部
１７３  表示部
１７４  放送部
１７５  バッテリー交換検知部
１７６  監視部
１７７  通信部
２００  カメラ
３００  管理センター
３１０  モニタ
３２０  記憶装置
４００  インターネット
【図１】
2006043270.tif 000003
【図２】
2006043270.tif 000004
【図３】
2006043270.tif 000005
【図４】
2006043270.tif 000006
【図５】
2006043270.tif 000007
【図６】
2006043270.tif 000008
【図７】
2006043270.tif 000009
【図８】
2006043270.tif 000010
【図９】
2006043270.tif 000011